(57)【要約】【課題】  本発明の課題は、壁に傷をつけることなくリモコンを設置出来るようにすることにある。【解決手段】  便座装置３を操作するリモコン４を保持するリモコンハンガー５を固定するパネル１１と、パネル１１を保持すると共に屈曲自在なアーム１２と、アーム１２を便座装置３または便器１に取付けるプレート部１３とからリモコン取付け具を構成した。プレート部１３を、便座装置３を便器１に取り付けるベースプレート２０と共締めして便器１に取付けた。【選択図】  図５
2005171588.tif 000002
【特許請求の範囲】
【請求項１】
便座装置を操作するリモコンを保持するリモコンハンガーを固定するパネルと、前記パネルを保持すると共に屈曲自在なアームと、前記アームを前記便座装置または便器に取付けるプレート部とからなるリモコン取付け具。
【請求項２】
前記プレート部を、前記便座装置を前記便器に取り付けるベースプレートと共締めして便器に取付けたことを特徴とする請求項１のリモコン取付け具。
【請求項３】
前記プレート部を、前記便座装置を前記便器に取り付けるベースプレートと一体化したことを特徴とする請求項１のリモコン取付け具。
【発明の詳細な説明】
【技術分野】
【０００１】
本発明は、便座装置操作用リモコンに関するものである。
【背景技術】
【０００２】
第１０図はトイレ内の状況を示した図である。１は便器、２はロータンク、３は便座装置、４は便座装置３を操作する操作部と便座装置３に制御信号を送信する信号発信部を有するリモコン、５はリモコン４を固定する為のリモコンハンガーである。使用者は便座装置３に座り、壁にネジ止めされたリモコンハンガー５に保持したリモコン４により便座装置３を操作する構成である。（例えば、特許文献１参照）
【特許文献１】特開平１−２９５９３４号公報
【発明の開示】
【発明が解決しようとする課題】
【０００３】
このような場合、従来の技術ではリモコンハンガー５を壁にネジ止めする必要があり、トイレ内の壁面にネジで穴をあけてしまい、賃貸住宅の様な住居においては壁を傷つけることとなるため、ネジ止めによりリモコンハンガーを固定することは困難となるという問題があった。
本発明は、上記問題を解決するためになされたもので、本発明の課題は、壁に傷をつけることなくリモコンを設置出来るようにすることにある。
【課題を解決するための手段】
【０００４】
上記課題を解決するために請求項１の発明では、便座装置を操作するリモコンを保持するリモコンハンガーを固定するパネルと、前記パネルを保持すると共に屈曲自在なアームと、前記アームを前記便座装置または便器に取付けるプレート部とからリモコン取付け具を構成した。
【０００５】
請求項２の発明では、前記プレート部を、前記便座装置を前記便器に取り付けるベースプレートと共締めして便器に取付けた。
【０００６】
請求項３の発明では、前記プレート部を、前記便座装置を前記便器に取り付けるベースプレートと一体化した。
【発明の効果】
【０００７】
本発明によれば、リモコンハンガーは壁ではなく、便器または便座装置に固定されるリモコン取付け具に取付けられるため、壁を傷つけることなくリモコンを設置できる。
【発明を実施するための最良の形態】
【０００８】
本発明の実施の形態を説明する。図１はリモコン取付け具の斜視図である。リモコン取付け具は、便器に接続されるプレート部１３、リモコン４を取り付けるリモコン取付パネル１１、プレート部１３とリモコン取付パネル１１とを連結し、屈曲自在に稼動するアーム１２、にて構成される。
【０００９】
図２は、リモコン取付パネル１１及びアーム１２の詳細図である。アーム１２の先端に固定したリモコン取付パネル１１の表面には、ネジ止め可能な樹脂等の材質で作られる取付パネル１４を接続する。
【００１０】
図３はプレート部１３の詳細図である。プレート部１３は金属もしくは合成樹脂でからなる平板であり、便器１及び便座装置３に固定する為の２つの穴１５と、アーム１２を取り付ける接続部１６を有する。接続部１６近傍は、平板を折り曲げている。
【００１１】
次に、このリモコン取付け具を便器１および便座装置３への取付け固定について、図４〜図７を参照しながら説明する。図４に示すように、通常は便器１と便座装置３は、便器１の貫通孔にボルト止めされたベースプレート２０に便座装置３をスライドさせて両者を係合関係に保持することによって取付けられている。このベースプレート２０を外して、上述した便器１の貫通孔にプレート部１３の穴を位置合わせし、図５に示すように、その上からベースプレート２０を載せて、便器１にベースプレート２０とボルトで共締めして固定する。なお、ベースプレート１３の接続部６は、便器１からはみ出しているので、便座装置３を便器１に取り付けるに際し、アーム１２が邪魔にならない。
【００１２】
この状態で、図６に示すように取付パネル１４にリモコンハンガー５をネジ止め固定し、リモコンハンガー５にリモコン４を保持させる。
【００１３】
本発明の取り付けが完了すると便座装置及び便器は図７に示す状態となる。使用者は、便座装置３に座り、便器１に取り付けられたリモコン４をアーム１２を屈曲させることで最適の場所に固定し、リモコン４を操作して便座装置３を動作させる。アーム１２は屈曲性を有するので、便座装置３への着座の際また便座装置３から起立する際に、リモコン４を一端避けておくことができる。
【００１４】
次に、本発明の他の実施の形態について説明する。
図８は、プレート部１７の詳細図である。このプレート部１７は、前述した実施の形態におけるプレート部１３にベースプレート２０を一体成形したものである。このプレート部１７は、図９に示すように直接便器に設置することができるので、取付けの手間が簡素化できる。この実施の形態においても、前述した実施の形態と同じ使い方ができる。
【図面の簡単な説明】
【００１５】
【図１】本発明のリモコン取付け具の斜視図
【図２】本発明のリモコン取付パネル及びアームの詳細図（正面図、側面図、背面図）
【図３】本発明のプレート部の詳細を示す詳細図（平面図、正面図、側面図）
【図４】便器と便座装置の取付け状態を示す斜視図
【図５】本発明のリモコン取付け具の固定状態を示す斜視図
【図６】本発明のリモコン取付け具にリモコンを取付ける状態を示す図
【図７】本発明のリモコン取付け具を用いた便座装置の斜視図
【図８】本発明の他の実施の形態におけるプレート部の詳細を示す詳細図（平面図、正面図、側面図）
【図９】図８のプレート部を便器に取付けた状態を示す斜視図
【図１０】従来の便座装置を示す斜視図
【符号の説明】
【００１６】
１…便器
２…ロータンク
３…便座装置
４…便座装置用リモコン
５…リモコンハンガー
１１…リモコン取付パネル
１２…アーム
１３…プレート部
１４…取付パネル
１５…穴
１６…接続部
１７…プレート部（便座装置取付け用ベースプレート一体型）
２０…ベースプレート
【図１】
2005171588.tif 000003
【図３】
2005171588.tif 000004
【図４】
2005171588.tif 000005
【図５】
2005171588.tif 000006
【図７】
2005171588.tif 000007
【図８】
2005171588.tif 000008
【図９】
2005171588.tif 000009
【図２】
2005171588.tif 000010
【図６】
2005171588.tif 000011
【図１０】
2005171588.tif 000012